(57)【特許請求の範囲】
【請求項１】
相互に平行な一対の第１縁辺およびこれら第１縁辺と直交する相互に平行な一対の第２縁辺によって仕切られる矩形の底壁部と、
前記一対の第１縁辺から前記底壁部に対してそれぞれ直角に立ち上がる一対の第１側壁部と、
該一対の第１側壁部のそれぞれから、前記第１縁辺と平行な第３縁辺を介して前記底壁部と平行に延在するとともに、前記底壁部の上方で間隙を形成する一対の上壁部と、
前記一対の第２縁辺から前記底壁部に対してそれぞれ直角に立ち上がる一対の第２側壁部と、
を具え、
前記一対の第２側壁部のそれぞれは、
前記一対の第１側壁部のそれぞれに連続し、前記第１側壁部および前記底壁部と直角な一対の端部と、
該一対の端部をつなぐ第２側壁本体部であって、前記第２縁辺に一致する下底と、前記第２縁辺より短い上底とを有する等脚台形状を呈するように折り返され、当該折り返し部が前記端部の一部に重畳されて剥離可能に接着される第２側壁本体部と、
を有し、
さらに、前記上壁部に連続して設けられた折り曲げ部であって、前記端部と重畳するように折り曲げられ、前記端部の前記一部とは異なる部位で前記端部に接着された折り曲げ部、
を備えたことを特徴とする箱。
【請求項２】
前記上壁部、前記第１および第２側壁部がなす角から、前記第３縁辺に対向する前記上壁部の縁辺まで、当該縁辺の中央側に向けて延在する折り曲げ線を有することを特徴とする請求項１に記載の箱。
【請求項３】
前記折り曲げ部は、前記第２側壁本体部とは重畳しないことを特徴とする請求項１または２に記載の箱。
【請求項４】
請求項１ないし３のいずれかに記載の箱を形成するための、二対の対向辺を有する矩形の四隅が切り欠かれた形状のブランクシートであって、
一方の一対の対向辺のそれぞれに対して平行に設けられ、前記底壁部、前記第１側壁部および前記端部を形成するための一対の第１折り曲げ線と、
他方の一対の対向辺のそれぞれに対して平行に設けられ、前記底壁部および前記第２側壁部を形成するための一対の第２折り曲げ線と、
前記第１折り曲げ線に対して平行に、且つ前記一方の一対の対向辺の側にそれぞれに偏倚して設けられ、前記上壁部を形成するための一対の第３折り曲げ線と、
前記一対の第１折り曲げ線および前記一対の第２折り曲げ線の交点のそれぞれから、前記他方の一対の対向辺のそれぞれまで、当該対向辺の中央側に向けて延在する、前記折り返し部を形成するための第４折り曲げ線と、
を具えたことを特徴とするブランクシート。
【請求項５】
前記一対の第２折り曲げ線および前記一対の第３折り曲げ線の交点のそれぞれから、前記一方の一対の対向辺のそれぞれまで、当該対向辺の中央側に向けて延在する第５折り曲げ線を有することを特徴とする請求項４に記載のブランクシート。
【請求項６】
前記折り曲げ部が前記第２側壁本体部と重畳しないように、前記矩形の四隅が切り欠かれていることを特徴とする請求項４または５に記載のブランクシート。
【請求項７】
請求項１ないし３のいずれかに記載の箱の前記端部から前記折り返し部を剥離し、前記一対の上壁部を互いに引き離すことで、前記第１側壁部が前記底壁部とともに新たな底壁となり、前記第２側壁部および前記上壁部が側壁となったトレイの形態を有する箱の形成方法。
【発明の詳細な説明】
【技術分野】
【０００１】
本発明は、物品を流通および展示するために収容する箱、および、それを形成するためのブランクシートに関するものである。
【背景技術】
【０００２】
従来の箱として、例えば特許文献１に開示されたもののように、矩形状の底壁部と、底壁部の四辺から立ち上がる側壁部と、対向する一対の側壁の上縁からそれぞれ底壁部と平行に延在するとともに、底壁部の上方において間隙を形成する上壁部と、を備えたものがある。かかる構成は、収容されている物品を間隙を通して外から視認できるため、箱の外側の表示等を読むことで収納物品の種別等を確認する作業を省略することが可能となる。
【先行技術文献】
【特許文献】
【０００３】
【特許文献１】実用新案登録第３０７０７５７号公報
【発明の概要】
【発明が解決しようとする課題】
【０００４】
そのような箱は、収容物品の流通過程での確認には有用であるが、上面の一部が上壁部によって覆われているため、販売のための展示には必ずしも適していない。特に、上壁部が形成する間隙が、収納物品の脱落を防止し得るように設定されている場合、視認性が劣るだけでなく、消費者が実際に手にとって物品を確認することができない。従って、そのような箱は、展示時には分解するか、または少なくとも上壁部を除去する手間を要するものであった。
【０００５】
よって本発明は、流通過程に適した物品収容形態から、販売のための展示に適した物品収容形態へと、簡単且つ容易に変形できる箱およびそのためのブランクシートを提供することを目的とする。
【０００６】
また、本発明の他の目的は、展示に適した物品の収容形態からさらに、処分に適した形態にも簡単且つ容易に変形できる箱およびそのためのブランクシートを提供することにある。
【課題を解決するための手段】
【０００７】
そのために、本発明の箱は、相互に平行な一対の第１縁辺およびこれら第１縁辺と直交する相互に平行な一対の第２縁辺によって仕切られる矩形の底壁部と、一対の第１縁辺から底壁部に対してそれぞれ直角に立ち上がる一対の第１側壁部と、該一対の第１側壁部のそれぞれから、第１縁辺と平行な第３縁辺を介して底壁部と平行に延在するとともに、底壁部の上方で間隙を形成する一対の上壁部と、一対の第２縁辺から底壁部に対してそれぞれ直角に立ち上がる一対の第２側壁部と、を具え、一対の第２側壁部のそれぞれは、一対の第１側壁部のそれぞれに連続し、第１側壁部および底壁部と直角な一対の端部と、該一対の端部をつなぐ第２側壁本体部であって、第２縁辺に一致する下底と、第２縁辺より短い上底とを有する等脚台形状を呈するように折り返され、当該折り返し部が端部の一部に重畳されて剥離可能に接着される第２側壁本体部と、を有し、さらに、上壁部に連続して設けられた折り曲げ部であって、端部と重畳するように折り曲げられ、端部の一部とは異なる部位で端部に接着された折り曲げ部、を備えたことを特徴とする。
【０００８】
ここで、上壁部、第１および第２側壁部がなす角から、第３縁辺に対向する上壁部の縁辺まで、当該縁辺の中央側に向けて延在する折り曲げ線を有するものとすることができる。
【０００９】
また、折り曲げ部は、第２側壁本体部とは重畳しないものとすることができる。
【００１０】
また、本発明は、上記の箱を形成するための、二対の対向辺を有する矩形の四隅が切り欠かれた形状のブランクシートであって、一方の一対の対向辺のそれぞれに対して平行に設けられ、底壁部、第１側壁部および端部を形成するための一対の第１折り曲げ線と、他方の一対の対向辺のそれぞれに対して平行に設けられ、底壁部および第２側壁部を形成するための一対の第２折り曲げ線と、第１の折り曲げ線に対して平行に、且つ一方の一対の対向辺のそれぞれに偏倚して設けられ、上壁部を形成するための一対の第３折り曲げ線と、一対の第１折り曲げ線および一対の第２折り曲げ線の交点のそれぞれから、他方の一対の対向辺のそれぞれまで、当該対向辺の中央側に向けて延在する、折り返し部を形成するための第４折り曲げ線と、を具えたことを特徴とする。
【００１１】
ここで、一対の第２折り曲げ線および一対の第３折り曲げ線の交点のそれぞれから、一方の一対の対向辺のそれぞれまで、当該対向辺の中央側に向けて延在する第５折り曲げ線を有するものとすることができる。
【００１２】
また、折り曲げ部が第２側壁本体部と重畳しないように、矩形の四隅が切り欠かれているものとすることができる。
【００１３】
さらに、本発明は、上記の箱の端部から折り返し部を剥離し、一対の上壁部を互いに引き離すことで、第１側壁部が底壁部とともに新たな底壁となり、第２側壁部および上壁部が側壁となったトレイの形態を有する箱を形成する方法に存する。
【発明の効果】
【００１４】
本発明によれば、単に上記端部から折り返し部を剥離し、一対の上壁部を互いに引き離すことで、第１側壁部が底壁部とともに新たな底壁となり、第２側壁部および上壁部が側壁となったトレイの形態に変形させることのできる箱が提供される。
【００１５】
また、トレイの形態の箱に対し、折り曲げ部を含めて第２側壁部を底壁側に折り畳む操作を行えば、処分に適した、実質的に平坦となった形態に変形させることができる。この際、上壁部、第１および第２側壁部がなす角から、第３縁辺に対向する上壁部の縁辺まで、当該縁辺の中央側に向けて延在する折り曲げ線を有していれば、操作の容易化および変形のし易さに資するものとなる。
【図面の簡単な説明】
【００１６】
【図１】本発明の一実施形態に係る箱の斜視図である。
【図２】図１に示した箱を形成するためのブランクシートの平面図である。
【図３】（ａ）〜（ｃ）は、箱の組み立て工程の説明図である。
【図４】（ｄ）および（ｅ）は、箱の組み立て工程の説明図である。
【図５】（ａ）〜（ｃ）は、箱の変形工程の説明図である。
【図６】他の実施形態に係る箱の一部を示した斜視図である。
【発明を実施するための形態】
【００１７】
以下、図面を参照して本発明を詳細に説明する。
【００１８】
（箱）
図１は、本発明の一実施形態に係る箱の外観斜視図である。なお、図１は、二点差線で示すカップ入り食品を収容した状態の箱を示しているが、収容される物品としてはこれに限られるものではなく、例えば缶，瓶などに封入された食品または飲料や、野菜または果実類などであってもよい。
【００１９】
図１の実施形態に係る箱は、相互に平行な一対の第１縁辺１１およびこれら第１縁辺１１と直交する相互に平行な一対の第２縁辺２１によって仕切られる矩形の底壁部４０を備える。一対の第１縁辺１１からは相互に対向する一対の第１側壁部１０が、また一対の第２縁辺２１からは相互に対向する一対の第２側壁部２０が、それぞれ底壁部４０に対して直角に立ち上がっている。一対の第１側壁部１０のそれぞれは第１縁辺１１と平行な第３縁辺３１を有し、各第３縁辺３１からは上壁部３０が底壁部４０と平行に延在している。一対の上壁部３０は底壁部４０の上方で間隙を画成しており、本実施形態では、その間隙は収容する物品の脱落が生じない寸法に設定されている。
【００２０】
各第２側壁部２０は、隣接する第１側壁部１０に連続し、第１側壁部１０および底壁部４０と直角な一対の端部２３と、そのそれぞれに連続し、且つその一部と重畳するように折り返される一対の折り返し部２５と、一対の折り返し部２５に連続するとともに、底壁部に対する稜すなわち第２縁辺２１が下底となる台形状の第２側壁本体部２７と、を有する。折り返し部２５は、その一部において端部２３と例えば接着剤により接着されている。その接着力は、後述するトレイの形態への変形操作を考慮して、接着剤の種類、濃度、塗布量ないしは塗布範囲を適切に定めることで、比較的弱くされていることが好ましい。
【００２１】
各上壁部３０に連続して、第２側壁部２０の端部２３と重畳するように折り曲げられた折り曲げ部３３を有する。この折り曲げ部３３は、折り返し部２５が重畳する端部２３の上記一部とは異なる部位に接着される。この接着も接着剤を用いて行うことができるが、その接着力の強さは任意である。
【００２２】
（ブランクシート）
図２は、図１に示した箱を組み立てるためのブランクシートの平面図である。本実施形態では、ブランクシートとして、シングルフルートの両面段ボール原紙から得られるものを用いる。しかしブランクシートの材料としては、板紙や、複数回にわたって反復使用可能なプラスチックなどの材料を用いたもので構成することも可能であり、本実施形態の如き段ボール原紙に限定されない。
【００２３】
本実施形態のブランクシートは、四隅が斜めに切り欠かれた、二対の対向辺１，２を有する略矩形の形状である。そして、略矩形の一方の一対の対向辺１のそれぞれに対して平行に設けられた一対の第１折り曲げ線１１１と、他方の一対の対向辺２のそれぞれに対して平行に設けられた一対の第２折り曲げ線１２１と、第１の折り曲げ線１１１のそれぞれに対して平行に、且つ第１の折り曲げ線１１１よりも一対の対向辺１に偏倚して設けられた一対の第３折り曲げ線１３１と、を備える。また、本実施形態のブランクシートは、一対の第１折り曲げ線１１１および一対の第２折り曲げ線１２１の交点Ｐ１２のそれぞれから、一対の対向辺２のそれぞれまで中央側に向けて斜め４５度の角度をなして延在する二対の第４折り曲げ線１２６と、一対の第３折り曲げ線１３１と一対の第２折り曲げ線１２１の交点Ｐ２３のそれぞれから、一対の対向辺２まで延在する二対の切れ込み１３５と、を備える。なお、図示の例では、折り曲げ線１２６には、折り曲げ操作を容易に行うことができるようにスリット１２６Ｓが設けられている。
【００２４】
折り曲げ線１１１、１２１および１３１は、それぞれ、図１における第１縁辺１１、第２縁辺２１および第３縁辺３１となる部分を含んでおり、図２では折り曲げ線を示す符号に、対応する縁辺を示す符号を括弧書きで付してある。また、折り曲げ線１１１、１２１、１３１、１２６および辺１、２によって区画される各領域が、底壁部４０、第１側壁部１０と、端部２３、折り返し部２５および第２側壁本体部２７を有する第２側壁部２０と、上壁部３０とに対応しており、図２では各領域に、対応する各部の符号を括弧書きにて示している。従って、図２に示すブランクシートを適宜折り曲げることによって、図１に示した箱が組み立てられる。
【００２５】
さらに本実施形態のブランクシートは、一対の第３折り曲げ線１３１と一対の第２折り曲げ線１２１の交点Ｐ２３のそれぞれから、一対の対向辺１のそれぞれまで中央側に向けて斜めに延在する二対の第５折り曲げ線１３７を備えている。これは、後述するトレイ形態から処分時の形態に箱を変形させる際の操作を容易にするためである。なお、図示の例では、折り曲げ線１３７には、折り曲げ操作を容易に行うことができるようにスリット１３７Ｓが設けられている。
【００２６】
領域の寸法について述べると、まず底壁部４０となる領域の寸法は、収納する物品の底面の形状、寸法および収納個数に応じて適宜定め得る。また、第１側壁部１０となる領域の幅ｗ１は、収納する物品の高さに応じて定められる。第２側壁部２０となる領域の幅ｗ２は、収納物品の脱落が生じない高さを第２側壁部２０に提供する寸法とされ、上壁部３０の幅ｗ３は、収納物品の脱落が生じない間隙を上壁部３０が形成するのに適した寸法とされる。図１の箱では、第１側壁部１０の高さが第２側壁部２０よりも大（すなわちｗ１＞ｗ２）となっており、また、箱を後述のようにトレイの形態に変形させることを考慮して、第２側壁部２０の高さと上壁部３０の幅とを等しく（すなわちｗ２＝ｗ３）としている。しかし箱ないしブランクシートの各部の寸法は、要求される特性や機能などに応じて、適宜変更することが可能である。
【００２７】
（箱の組み立て）
図３の（ａ）〜（ｃ）および図４の（ｄ）および（ｅ）を用い、図２に示したブランクシートから図１に示した箱を組み立てる手順を説明する。なお、これらの図においても、図１の箱の各部となる各領域に、各部の符号を括弧書きにて示している。また、以下の説明において、「山折り」とは図２において紙面の上面側が凸となる折り曲げを意味し、「谷折り」とは紙面の上面側が凹となる折り曲げを意味する。
【００２８】
図３の（ａ）は図２のブランクシートの斜視図であり、この状態から、第１側壁部１０に対応する第１折り曲げ線１１１ａの部分の谷折り、端部２３と折り返し部２５との接続部分に対応する第１折り曲げ線１１１の部分１１１ｂの山折り、第１側壁部１０と端部２３との接続部分に対応する第２折り曲げ線１２１の部分１２１ｂの谷折り、および、折り返し部２５と第２側壁本体部２７との接続部分にある第４折り曲げ線１２６の山折りを同時に行うことで、図３の（ｂ）に示した状態を得る。
【００２９】
次に、第２側壁部２０に対応する第２折り曲げ線１２１の部分１２１ａの谷折りを行うことで、図３の（ｃ）に示すように、折り返し部２５が端部２３の一部に重畳した状態で第２側壁部２０が形成される。これに先立って、折り返し部２５またはこれが重畳する端部２３の一部（例えばハッチングを施した符号Ｂで示す部分）に接着剤を塗布しておくことで、両者が接着される。
【００３０】
次に、図４の（ｄ）に示すように上壁部３０に対応する第３折り曲げ線１３１の谷折りを行い、さらに上壁部３０と折り曲げ部３３との接続部分に対応する第２折り曲げ線１２１の谷折りを行うとともに、予め折り曲げ部３３または端部２３の一部に塗布しておいた接着剤によって両者の接着を行うことで、図４（ｅ）に示すように箱が形成される。
【００３１】
なお、本実施形態では、一対の上壁部３０が形成する間隙は、流通過程において収容物品の脱落が生じない寸法に設定される。従って、物品は、底壁部４０の上方に上壁部３０を形成する前に、底壁部４０または底壁部４０となる領域に対して配置しておけばよい。
【００３２】
（箱の変形）
本実施形態に係る箱は、販売のための物品の展示および取り出しに適した形態、すなわちトレイの形態への変形が可能であり、さらには販売後の処分に適した形態への変形が可能である。
【００３３】
図５の（ａ）〜（ｃ）を用いて箱の変形手順を説明するに、図４の（ｅ）に示した状態から図５の（ａ）に示すように第２側壁部２０を倒した状態とする。端部２３および折り返し部２５の間に適用される接着力が適切に定められていれば、第２側壁部２０を倒す操作には大きな力を要しないものとなる。次に、一対の上壁部３０を互いに離れるように矢印で示す方向に引く操作を行うことで、図５の（ｂ）に示すように、第１側壁部１０が底壁部４０とともに底壁となり、第２側壁部２０および上壁部３０が側壁となったトレイ状の形態に変形する。この状態では、収容している物品が完全に露出するので、消費者は、物品の全体を視認したり、実際に手にとって物品を確認したりすることができる。
【００３４】
収容している物品がすべてなくなると、処分に適した形態となることが好ましい。その場合、折り曲げ部３３を含めて第２側壁部２０を底壁側に折り畳む操作を行えば、図５の（ｃ）に示したような、実質的に平坦となった形態に変形させることができる。本実施形態では、第５折り曲げ線１３７がその操作の容易化および変形のし易さに資するものとなる。
【００３５】
（その他）
本発明は、以上の実施形態および随所に述べた変形例に限らず、適宜の変更が可能である。例えば、上述の実施形態では、ブランクシートとして四隅を切り欠いた略矩形状のものとし、折り曲げ部３３が第２側壁本体部２７とは重畳することなく端部２３に重畳するものとした。しかしブランクシートを、そのような切り欠きをもたない矩形状のものとすることも可能である。その場合、図６に示すように、折り返し部の一部は第２側壁本体部２７の一部と重畳するため、その重畳部位に接着剤が塗布されないように意を払うこと（例えば図６においてハッチングで示す部分Ｂ’に接着範囲を限定すること）や、端部２３から折り返し部２５を剥離する際に折り返し部をめくる動作が必要となる。しかし、切り欠きを設けない分、廃材の発生を抑制することができるので、図６に示した構成は、歩留まりの観点からは有利である。
【００３６】
また、例えば冷蔵状態で流通させることが望ましい物品を収容することを考慮して、第１および／または第２側壁等に通気用の開口を設けておくこともできる。さらに、複数の箱が積載される際の安定性を考慮して、例えば、第１側壁部１０と隣接する上壁部３０の部位に、第１側壁部１０と面一となる切り起こしを形成する一方、底壁部４０と隣接する第１側壁部１０の部位に、下に積まれる箱の切り起こしと係合可能な穴を設けておくこともできる。
【符号の説明】
【００３７】
１、２  ブランクシートの辺
１０  第１側壁部
１１  第１縁辺
２０  第２側壁部
２１  第２縁辺
２３  端部
２５  折り返し部
２７  第２側壁本体部
３０  上壁部
３１  第３縁辺
３３  折り曲げ部
４０  底壁部
１１１、１２１、１３１、１２６  １３７  折り曲げ線
１２６、１３７  スリット
Ｐ１２、Ｐ２３  折り曲げ線の交点
【図１】
0006536290.tif 000002
【図２】
0006536290.tif 000003
【図３】
0006536290.tif 000004
【図４】
0006536290.tif 000005
【図５】
0006536290.tif 000006
【図６】
0006536290.tif 000007